(57)【要約】【課題】  レンズが嵌るメガネのフロント部を細長い帯材を曲げ成形することで製作するメガネフレームの提供。【解決手段】  フロント部１は上フレーム４と下フレーム５を組み合せた構造とし、そして上フレーム４の上リム部６及び下フレーム５の下リム部８を曲げ成形して内周には凹溝１２，１８を沿設することで上・下リム部６，８にて形成するリムに嵌るレンズ外周を拘束し、上フレーム４と下フレーム５の両先端に設けたリムロック片１０，１１を互いにネジ止めしている。【選択図】    図１
2015022143.tif 000002
【特許請求の範囲】
【請求項１】
レンズが嵌るメガネのフロント部を細長い帯材を曲げ成形することで製作するメガネフレームにおいて、該フロント部は上フレームと下フレームを組み合せた構造とし、上フレームは中央の上連結部の両側に上リム部を連続して形成し、下フレームは中央の下連結部の両側に下リム部を連続して形成し、そして上連結部と下連結部を互いにロウ付けなどで固定し、上リム部及び下リム部を曲げ成形して内周には凹溝を沿設することで上・下リム部にて形成するリムに嵌るレンズ外周を拘束し、上フレームと下フレームの両先端に設けたリムロック片を互いにネジ止めしたことを特徴とするメガネフレーム。
【請求項２】
下フレームの下連結部の両側には脚を連続して延ばし、脚先端には鼻当てパット取付け部を連続して形成し、そして鼻当てパット取付け部の取付け穴に鼻当てパットを嵌めた請求項１記載のメガネフレーム。
【請求項３】
レンズを保持するメガネのフロント部を細長い帯材を曲げ成形することで製作するメガネフレームにおいて、該フロント部は上フレームと下フレーム及び高張力糸を組み合せた構造とし、上フレームは中央の上連結部の両側に上リム部を連続して形成し、下フレームは中央の下連結部の両側に下リム片を連続して形成し、そして上連結部と下連結部を互いにロウ付けなどで固定し、上リム部及び下リム片を曲げ成形して内周には凹溝を沿設し、この凹溝に高張力糸の一部を嵌め、そして下リム片の先端に高張力糸の一端を止着すると共に上フレームの先端部に高張力糸の他端を連結し、上リム部と下リム片及び高張力糸にてレンズ外周を拘束して保持することを特徴とするメガネフレーム。
【発明の詳細な説明】
【技術分野】
【０００１】
本発明は細長い帯材でフロント部を構成し、リムにレンズが安定して嵌ると共にリム線が細く見えるようにしたメガネフレームに関するものである。
【背景技術】
【０００２】
図１２は従来の一般的な金属製のメガネフレームを示す外観図であり、フロント部（イ）の両側には蝶番などの継手（ハ）、（ハ）を介してツル（ロ）、（ロ）が折り畳み出来るように取付けられている。フロント部（イ）はレンズが嵌る両リム（ニ）、（ニ）が連結部材（ホ）にて連結され、フロント部（イ）の両側にはツル（ロ）、（ロ）を取付ける為のヨロイ（ヘ）、（ヘ）をロウ付けしている。
【０００３】
ところで、リム（ニ）は細い線材を引抜き加工したもので、内周にはレンズが嵌る為の凹溝を沿設している。そして、連結部材（ホ）及びヨロイ（ヘ）は所定の形状に冷間鍛造にて成形され、各部品はロウ付けにてメガネフレームとして組み立てられる。このように、メガネフレームを構成する各部品を引抜きや冷間鍛造する場合、夫々に専用の金型を必要とし、該メガネフレームの製作コストは高くなってしまい、また各部品は太くなり、その為に軽くてスリムなメガネフレームを構成することは出来ない。
【０００４】
実用新案登録第３０８４６１１号に係る「金属板から成るメガネフレーム」は、薄い金属板を所定形状に打ち抜いたメガネフレームであって、軽くて製作が簡単でコストが安くなるメガネフレームである。そこで、薄い金属板を打ち抜いたブランクには両リムを連結部にて連結したフロント部と２本のツルを連続して形成し、２本のツルは曲げ成形されて先端にはコメカミに当るコメカミパットを取付けている。
【０００５】
そして、フロント部のリム背面にレンズをネジ止めすることが出来る。その為に、フロント部のリム線の断面は縦長である為に正面に露出してスリムなフロント部とは成り得ず、また薄い板材で構成されるフロント部である為に剛性がなく、ツルを開く度に該フロント部の湾曲した形状が変化し、レンズの向きも変わってしまう。
【０００６】
また、薄い板材で構成したフロント部のリムにレンズを嵌めることも可能であるが、この場合にはレンズ外周に細い溝を沿設し、このレンズ溝にリムが嵌る。このように構成する場合、剛性が低いフロント部のリムは変形することでレンズ溝に無理な応力が作用し、レンズ溝が割れたり欠けたりする虞がある。
【特許文献１】実用新案登録第３０８４６１１号に係る「金属板から成るメガネフレーム」
【発明の開示】
【発明が解決しようとする課題】
【０００７】
メガネフレームのフロント部はスリムで軽いことが要求されるが、曲げ剛性も必要であり、従来の板材から成るフロント部には上記のごとき問題がある。本発明が解決しようとする課題はこの問題点であり、外観上は非常にスリムに見えると共にフロント部の剛性が高くてレンズに無理な応力をかけることなくリムに嵌るメガネフレームを提供する。
【課題を解決するための手段】
【０００８】
本発明に係るメガネのフロント部は上フレームと下フレームを組み合せて構成する。上・下フレームは細い帯材を曲げ成形した部品で中央の連結部を互いにロウ付けし、そして、細い帯材はレンズの形状に沿って曲げ成形されてリムを形成し、しかもリムの内周にはレンズが嵌る凹溝を成形している。該凹溝も細い帯材を曲げ成形することで形成され、帯材の厚さは薄くても幅寸法を十分にとることで凹溝の幅は大きくなり、従来のリム線のように引抜き成形にて形成される凹溝とは異なる。
【０００９】
一方、該フロント部は上フレームと下フレーム及び高張力糸でレンズを保持するように構成する。この場合には下フレームの下連結部が上フレームの上連結部にロウ付けされ、下フレームの下連結部の両側には下リム片を延ばし、下リム片の先端に高張力糸の一端を連結し、高張力糸の他端は上フレームの先端部に止着される。そして、下フレームには脚を連続して延ばし、脚先端には鼻当てパットを取付ける為の取付け部を有している。
【発明の効果】
【００１０】
本発明のメガネのフロント部は細長い帯材を曲げ成形した上フレームと下フレームを組み合わせて構成している為に、該フロント部の曲げ剛性は高くなる。すなわち、本発明では帯材の断面を横長とした状態で使用し、細長い帯材はレンズに沿って曲げられ、また内周にはレンズが嵌る凹溝を有している。上・下フレームによって形成されるリムに嵌るレンズはフロント部の剛性が高い為に、ツルを開く際に曲げられることはなく、また帯材に形成される凹溝の幅寸法は大きくなり、リムに嵌るレンズが外れることはない。
【００１１】
そして、細長い帯材を曲げ成形した上フレームと下フレームを組み合わせて構成されるリムはレンズになじみ、多少の寸法誤差があってもレンズ外周に局部的な応力作用はなく、レンズ割れやレンズの欠けを抑制することが出来る。一方、上フレームの中央部に下フレームの下連結部をロウ付けなどで固定するならば、高張力糸にてレンズ下側を保持するフロント部構造とすることも出来る。
【００１２】
何れの形態のフロント部であっても細長い帯材の厚さが薄いことでフロント部の外観はレンズ外周に露出するリムの厚さ寸法（高さ寸法）が小さくなって、リムを持たない縁なしメガネに近い外観を呈す。そして、フロント部は上フレームと下フレームを組み合せて構成する為に、部品点数は少なくてロウ付け箇所も少なく、製作コストは安くなる。
【図面の簡単な説明】
【００１３】
【図１】本発明に係るメガネフレームの正面図。
【図２】本発明に係るメガネフレームの平面図。
【図３】本発明に係るメガネフレームの側面図。
【図４】（ａ）は上フレームの平面図、（ｂ）は上フレームの正面図、（ｃ）は上リム部の断面拡大図。
【図５】下フレームの曲げ成形前の帯材。
【図６】（ａ）は下フレームの平面図、（ｂ）は下フレームの正面図、（ｃ）は下リム部の断面拡大図。
【図７】本発明に係る他のメガネフレームの正面図。
【図８】本発明に係る他のメガネフレームの平面図。
【図９】本発明に係る他のメガネフレームの側面図。
【図１０】（ａ）は上フレームの平面図、（ｂ）は上フレームの正面図、（ｃ）は上リム部の断面拡大図。
【図１１】（ａ）は下フレームの曲げ成形前の帯材、（ｂ）は下フレームの正面図。
【図１２】従来の一般的な金属製メガネフレーム。
【発明を実施するための形態】
【００１４】
図１〜図３は本発明に係るメガネフレームを示す実施例であり、同図の１はフロント部、２はツルを表し、ツル２，２はフロント部１の両側に継手軸３，３を介して折畳み出来るように連結している。フロント部１は上フレーム４と下フレーム５を組み合わせて構成され、上フレーム４は両上リム部６，６と上連結部７を有し、上連結部７の両側に上リム部６，６を連続している。同じく、下フレーム５は両下リム部８，８と下連結部９を有し、下連結部９の両側に下リム部８，８を連続している。
【００１５】
上フレーム４と下フレーム５は上連結部７と下連結部９とが互いにロウ付けされ、上リム部６と下リム部８とで形成されるリムにはレンズが嵌る。そして、上フレーム４の両側端には上リムロック片１０，１０を有し、下フレーム５の両側端には下リムロック片１１，１１を有しており、上リムロック片１０と下リムロック片１１とが互いにネジ止されることで、上リム部６と下リム部８とに挟まれたレンズは拘束される。
【００１６】
図４は上フレーム４を表し、（ａ）は平面図、（ｂ）は正面図、（ｃ）は上リム部６の断面拡大図である。該上フレーム４は細い帯材が曲げ成形され、上連結部７の両側に上リム部６，６を連続して形成し、両先端には上リムロック片１０，１０を有している。そして、上リム部６，６にはレンズ外周が嵌る凹溝１２を沿設し、その為に断面は山形を形成している。上フレーム４を構成する細長い帯材は、その厚さは薄いが幅寸法はある程度あることで幅広の凹溝１２を形成することが出来、リムに嵌るレンズ外周は該凹溝１２に係合することで安定して拘束される。帯材の厚さが薄いことで正面からの外観はリム線の高さ寸法は小さく、縁なしメガネの外観ん近い。
【００１７】
図５は下フレーム５を構成する細長い帯材を表しており、中央部には鼻当てパット取付け部１３，１３が対を成して設けられている。該鼻当てパット取付け部１３，１３は帯材１４から延びる脚１５，１５の先端に形成され、鼻当てパット取付け部１３，１３には取付け穴１６，１６を有している。そして、両先端に小さい穴１７，１７が貫通している。
【００１８】
図６は成形した下フレーム５であり、（ａ）は平面図、（ｂ）は正面図、（ｃ）は下リム部８の断面拡大図である。下リム部５は下連結部９の両側に下リム部８，８を連続して形成し、両先端には下リムロック片１１，１１を設けている。そして、（ｃ）に示しているように内周には凹溝１８を有している。
下フレーム５を構成する細長い帯材は、その厚さは薄いが幅寸法はある程度あることで幅広の凹溝１８を形成することが出来、リムに嵌るレンズ外周は該凹溝１８に係合することで安定して拘束することが出来る。
【００１９】
ところで、上フレーム４と下フレーム５とは上・下連結部７，９にてロウ付けされ、両先端の上下リムロック片１０，１１を互いにネジ止めして構成される。本発明ではフロント部１を構成する部品点数は少なく、またロウ付け箇所も少ないことで、フロント部１の製作工数は大きく低下する。
【００２０】
図７〜図９は本発明に係るメガネフレームを示す他の実施例であって、同図の１９はフロント部、２０はツルを表し、ツル２０，２０はフロント部１９の両側に継手軸２１，２１を介して折畳み出来るように連結している。フロント部１９は上フレーム２２と下フレーム２３を組み合わせて構成され、上フレーム２２は両上リム部２４，２４と上連結部２５を有し、上連結部２５の両側に上リム部２４，２４を連続している。同じく、下フレーム２３は両下リム片２６，２６と下連結部２７を有し、下連結部２７の両側に下リム片２６，２６を連続している。
【００２１】
ところで、この実施例に示すメガネフレームはレンズ下側を水糸にて保持する型式であって、その為に下フレーム２３は下連結部２７の両側に連続して延びる下リム片２６，２６は短くてレンズの一部を拘束した長さと成っている。そして、下リム片２６の先端に水糸（高張力糸）が止着され、水糸の先端は上リム部２４と連結してレンズを保持している。
【００２２】
図１０は上フレーム２２を示し、（ａ）は平面図、（ｂ）は正面図、（ｃ）は上リム部２４の断面拡大図をそれぞれ表している。該上フレーム２２は中央の上連結部２５の両側に上リム部２４，２４を連続して形成し、両先端には背面側へ屈曲した継手片３３，３３を設け、該継手片３３，３３の先端には継手軸２１が嵌る為の穴２７，２７を貫通している。そして、（ｃ）に示すように上リム部２４の内周には凹溝２８を有し、この凹溝２８には水糸の一部が嵌合し、レンズ外周に形成した凹溝にも同じ水糸が嵌合する。すなわち、水糸を介して上リム部２４にレンズを位置決めして拘束することが出来る。この構造は、水糸を用いてレンズを保持する従来のハーフリム型式のレンズ止着手段と共通している。
【００２３】
図１１は下フレーム２３を示す実施例で、（ａ）は曲げ成形される前の帯材であり、該帯材の両端部から脚２９，２９が延び、脚先端には鼻当てパット取付け部３０，３０を形成している。そして、鼻当てパット取付け部３０，３０には鼻当てパットが嵌る取付け穴３１，３１を貫通して設けている。そして、この帯材を曲げ成形することで（ｂ）に示す下フレーム２３となる。
【００２４】
下フレーム２３の両先端には水糸を止着する為の小さい穴３２，３２・・・を貫通し、同じく上フレーム２２の先端部にも小さい穴３４，３４を貫通して設けている。そして、下リム片２６，２６の内周には前記図１０（ｃ）に示す凹溝２８を形成し、この凹溝には水糸の一部が４嵌合してレンズを拘束することが出来る。ところで、フロント部の両側には継手軸を介してツルが折畳み出来るように取付けられているが、蝶番継手を用いることも可能である。また、上フレームと下フレームの上下連結部を固定する手段としてロウ付けではなくネジ止めする場合もある。
【符号の説明】
【００２５】
１   フロント部
２   ツル
３   継手軸
４   上フレーム
５   下フレーム
６   上リム部
７   上連結部
８   下リム部
９   下連結部
10   上リムロック片
11   下リムロック片
12   凹溝
13   鼻当てパット取付け部
14   帯材  
15   脚
16   取付け穴
17   穴
18   凹溝
19   フロント部
20   ツル
21   継手軸
22   上フレーム
23   下フレーム
24   上リム部
25   上連結部
26   下リム片
27   穴
28   凹溝
29   脚
30   鼻当てパット取付け部
31   取付け穴
32   穴
33   継手片
34   穴
【図１】
2015022143.tif 000003
【図２】
2015022143.tif 000004
【図３】
2015022143.tif 000005
【図４】
2015022143.tif 000006
【図５】
2015022143.tif 000007
【図６】
2015022143.tif 000008
【図７】
2015022143.tif 000009
【図８】
2015022143.tif 000010
【図９】
2015022143.tif 000011
【図１０】
2015022143.tif 000012
【図１１】
2015022143.tif 000013
【図１２】
2015022143.tif 000014